(57)【要約】【課題】  住戸内に複数の親機を有するシステムにおいて、玄関子機或いは集合玄関機からの呼出音の変更操作を個々の親機に対して実施しなくても親機全体の呼出音の変更を可能とする。【解決手段】  居室親機２は、呼出音が複数種類蓄積される呼出音蓄積部１４と、呼出音を呼出音蓄積部１４の中から選択して設定する操作部１５と、操作部１５で選択設定した呼出音を読み出してスピーカ１３を鳴動させると共に、増設親機３に対して操作部１５で選択設定した内容に対応する呼出音情報を増設親機３に送信操作する居室親機ＣＰＵ１１とを備え、増設親機３は、呼出音が複数種類蓄積される増親呼出音蓄積部２４と、居室親機２からの呼出音情報により増親呼出音蓄積部２４に蓄積された呼出音の中から対応する呼出音を読み出してスピーカ２３を鳴動させる操作をする増親ＣＰＵ２１とを備えた。【選択図】  図２
2005159454.tif 000002
【特許請求の範囲】
【請求項１】
玄関に設置され、来訪者が居住者を呼び出して通話を行うための玄関子機と、住戸内に設置され、スピーカを有して前記玄関子機からの呼び出しを鳴動報知すると共に前記来訪者と通話するための居室親機と、前記居室親機に接続され、スピーカを有して前記玄関子機からの呼び出しを鳴動報知すると共に前記来訪者と通話するための増設親機とを備えたインターホンシステムにおいて、
前記居室親機は、前記玄関子機からの呼び出しを報知する呼出音が複数種類蓄積される呼出音蓄積部と、前記呼出音を前記呼出音蓄積部の中から選択して設定する操作部と、前記操作部で選択設定した呼出音を読み出して前記スピーカから出力させると共に、前記増設親機に対して前記操作部で選択設定した内容に対応する呼出音コマンドを前記増設親機に送信する居室親機ＣＰＵとを備え、
前記増設親機は、前記玄関子機からの呼び出しを報知する呼出音が複数種類蓄積される増親呼出音蓄積部と、前記居室親機から送信された前記呼出音コマンドにより前記増親呼出音蓄積部に蓄積された呼出音の中から対応する呼出音を読み出して前記スピーカから出力させる増親ＣＰＵと、を備えたことを特徴とするインターホンシステム。
【請求項２】
玄関に設置され、来訪者が居住者を呼び出して通話を行うための玄関子機と、住戸内に設置され、スピーカを有して前記玄関子機からの呼び出しを鳴動報知すると共に前記来訪者と通話するための居室親機と、前記居室親機に接続され、スピーカを有して前記玄関子機からの呼び出しを鳴動報知すると共に前記来訪者と通話するための増設親機とを備えたインターホンシステムにおいて、
前記居室親機は、前記玄関子機からの呼び出しを報知する呼出音が複数種類蓄積される呼出音蓄積部と、前記呼出音を前記呼出音蓄積部の中から選択して設定する操作部と、前記操作部で選択設定した呼出音を読み出して前記スピーカから出力させると共に、前記増設親機に前記読み出した呼出音を送信する居室親機ＣＰＵとを備え、
前記増設親機は、前記居室親機から送信された呼出音を前記スピーカから出力させる増親ＣＰＵと、を備えたことを特徴とするインターホンシステム。
【請求項３】
集合玄関に設置され、来訪者が居住者を呼び出して通話を行うための集合玄関機と、各住戸内に設置され、スピーカを有して前記集合玄関機からの呼び出しを鳴動報知すると共に前記来訪者と通話するための居室親機と、前記居室親機に接続され、スピーカを有して前記集合玄関機からの呼び出しを鳴動報知すると共に前記来訪者と通話するための増設親機と、前記集合玄関機及び複数の居室親機を制御する制御機と、を備えた集合住宅インターホンシステムにおいて、
前記居室親機は、前記集合玄関機からの呼び出しを報知する呼出音が複数種類蓄積される呼出音蓄積部と、前記呼出音を前記呼出音蓄積部の中から選択して設定する操作部と、前記操作部で選択設定した呼出音を読み出して前記スピーカから出力させると共に、前記増設親機に対して前記操作部で選択設定した内容に対応する呼出音コマンドを前記増設親機に送信する居室親機ＣＰＵとを備え、
前記増設親機は、前記集合玄関機からの呼び出しを報知する呼出音が複数種類蓄積される増親呼出音蓄積部と、前記居室親機から送信された前記呼出音コマンドにより前記増親呼出音蓄積部に蓄積された呼出音の中から対応する呼出音を読み出して前記スピーカから出力させる増親ＣＰＵと、を備えたことを特徴とする集合住宅インターホンシステム。
【請求項４】
集合玄関に設置され、来訪者が居住者を呼び出して通話を行うための集合玄関機と、各住戸内に設置され、スピーカを有し前記集合玄関機からの呼び出しを鳴動報知すると共に前記来訪者と通話するための居室親機と、前記居室親機に接続され、スピーカを有して前記集合玄関機からの呼び出しを鳴動報知すると共に前記来訪者と通話するための増設親機とを備えた集合住宅インターホンシステムにおいて、
前記居室親機は、前記玄関子機からの呼び出しを報知する呼出音が複数種類蓄積される呼出音蓄積部と、前記呼出音を前記呼出音蓄積部の中から選択して設定する操作部と、前記操作部で選択設定した呼出音を読み出して前記スピーカから出力させると共に、前記増設親機に前記読み出した呼出音を送信する居室親機ＣＰＵとを備え、
前記増設親機は、前記居室親機から送信された呼出音を前記スピーカから出力させる増親ＣＰＵと、を備えたことを特徴とする集合住宅インターホンシステム。
【発明の詳細な説明】
【技術分野】
【０００１】
本発明は、戸建て住宅用のインターホンシステム及び集合住宅用の集合住宅インターホンシステムに関し、特に呼出音を選択できるインターホンシステム及び集合住宅インターホンシステムに関する。
【背景技術】
【０００２】
玄関子機或いは集合玄関機からの呼出操作による呼出音を、居住者の好みに応じて変更できるインターホンシステムがある。また、特に集合住宅においては、近隣の住戸の呼出音と同一では紛らわしいので、玄関子機或いは集合玄関機からの呼出音を変更できるものが、来訪者を認識し易いため好まれている。このようなインターホンシステムとして、例えば特許文献１に示すような構成のものがあり、この場合、インターホン親機（居室親機）で呼出音を変更可能となっている。
【特許文献１】特開２００２−２５２７１０号公報
【発明の開示】
【発明が解決しようとする課題】
【０００３】
しかし、上記従来の技術は、変更操作した親機しか呼出音を変更できないため、増設親機を設けて親機を複数備えたシステムの場合、全ての親機の呼出音を統一しようとすると、個々の親機に対して変更操作をしなければならなかった。また、増設親機に関しては呼出音が変更できない場合もあった。
そこで、本発明は上記問題点に鑑み成されたもので、住戸内に複数の親機を有するシステムにおいて、玄関子機或いは集合玄関機からの呼出音の変更操作を個々の親機に対して実施しなくても親機全体の呼出音を変更できるインターホンシステム及び集合住宅インターホンシステムを提供することを目的とする。
【課題を解決するための手段】
【０００４】
上記課題を解決するために、請求項１の発明は、玄関に設置され、来訪者が居住者を呼び出して通話を行うための玄関子機と、住戸内に設置され、スピーカを有して玄関子機からの呼び出しを鳴動報知すると共に来訪者と通話するための居室親機と、居室親機に接続され、スピーカを有して玄関子機からの呼び出しを鳴動報知すると共に来訪者と通話するための増設親機とを備えたインターホンシステムにおいて、居室親機は、玄関子機からの呼び出しを報知する呼出音が複数種類蓄積される呼出音蓄積部と、呼出音を呼出音蓄積部の中から選択して設定する操作部と、操作部で選択設定した呼出音を読み出してスピーカから出力させると共に、増設親機に対して操作部で選択設定した内容に対応する呼出音コマンドを増設親機に送信する居室親機ＣＰＵとを備え、増設親機は、玄関子機からの呼び出しを報知する呼出音が複数種類蓄積される増親呼出音蓄積部と、居室親機からの呼出音コマンドにより増親呼出音蓄積部に蓄積された呼出音の中から対応する呼出音を読み出してスピーカから出力させる増親ＣＰＵと、を備えたことを特徴とする。  
この構成により、居室親機の呼出音を選択設定するだけで、増設親機の呼出音も変更でき、親機の数だけ変更操作する必要がない。
【０００５】
請求項２の発明は、玄関に設置され、来訪者が居住者を呼び出して通話を行うための玄関子機と、住戸内に設置され、スピーカを有して玄関子機からの呼び出しを鳴動報知すると共に来訪者と通話するための居室親機と、居室親機に接続され、スピーカを有して玄関子機からの呼び出しを鳴動報知すると共に来訪者と通話するための増設親機とを備えたインターホンシステムにおいて、居室親機は、玄関子機からの呼び出しを報知する呼出音が複数種類蓄積される呼出音蓄積部と、呼出音を呼出音蓄積部の中から選択して設定する操作部と、操作部で選択設定した呼出音を読み出してスピーカから出力させると共に、増設親機に読み出した呼出音を送信する居室親機ＣＰＵとを備え、増設親機は、居室親機から送信された呼出音を前記スピーカから出力させる増親ＣＰＵと、を備えたことを特徴とする。
この構成により、居室親機の呼出音を選択設定するだけで、増設親機の呼出音も変更でき、親機の数だけ変更操作する必要がない。また、増設親機に呼出音を蓄積する手段を設けておく必要がない。
【０００６】
請求項３の発明は、集合玄関に設置され、来訪者が居住者を呼び出して通話を行うための集合玄関機と、各住戸内に設置され、スピーカを有して集合玄関機からの呼び出しを鳴動報知すると共に来訪者と通話するための居室親機と、居室親機に接続され、スピーカを有して集合玄関機からの呼び出しを鳴動報知すると共に来訪者と通話するための増設親機と、集合玄関機及び複数の居室親機を制御する制御機と、を備えた集合住宅インターホンシステムにおいて、居室親機は、集合玄関機からの呼び出しを報知する呼出音が複数種類蓄積される呼出音蓄積部と、呼出音を呼出音蓄積部の中から選択して設定する操作部と、操作部で選択設定した呼出音を読み出してスピーカから出力させると共に、増設親機に対して操作部で選択設定した内容に対応する呼出音コマンドを増設親機に送信する居室親機ＣＰＵとを備え、増設親機は、集合玄関機からの呼び出しを報知する呼出音が複数種類蓄積される増親呼出音蓄積部と、居室親機からの呼出音コマンドにより増親呼出音蓄積部に蓄積された呼出音の中から対応する呼出音を読み出してスピーカから出力させる増親ＣＰＵと、を備えたことを特徴とする。
この構成により、集合住宅のシステムにおいても、居室親機の呼出音を選択設定するだけで、増設親機の呼出音も変更でき、親機の数だけ変更操作する必要がない。
【０００７】
請求項４の発明は、集合玄関に設置され、来訪者が居住者を呼び出して通話を行うための集合玄関機と、各住戸内に設置され、スピーカを有し集合玄関機からの呼び出しを鳴動報知すると共に来訪者と通話するための居室親機と、居室親機に接続され、スピーカを有して集合玄関機からの呼び出しを鳴動報知すると共に来訪者と通話するための増設親機とを備えた集合住宅インターホンシステムにおいて、居室親機は、玄関子機からの呼び出しを報知する呼出音が複数種類蓄積される呼出音蓄積部と、呼出音を呼出音蓄積部の中から選択して設定する操作部と、操作部で選択設定した呼出音を読み出してスピーカから出力させると共に、増設親機に読み出した呼出音を送信する居室親機ＣＰＵとを備え、増設親機は、居室親機から送信された呼出音を前記スピーカから出力させる増親ＣＰＵと、を備えたことを特徴とする。
この構成により、集合住宅のシステムにおいても、居室親機の呼出音を選択設定するだけで、増設親機の呼出音も変更でき、親機の数だけ変更操作する必要がない。また、増設親機に呼出音を蓄積する手段を設ける必要がない。
【発明の効果】
【０００８】
このように、本発明によれば、居室親機の呼出音を選択設定するだけで、増設親機の呼出音も変更でき、親機の数だけ変更操作しなくても、全ての親機の呼出音を変更する必要がない。
【発明を実施するための最良の形態】
【０００９】
以下、本発明を具体化した実施の形態を、図面に基づいて詳細に説明する。図１、図２は本発明に係る戸建て住宅に適用されるインターホンシステムの第１実施形態の説明図であり、図１はシステムを構成する機器の接続図、図２はシステムの要部ブロック図を示している。図１，２において、１は玄関に設置される玄関子機、２は住戸内に設置される居室親機、３は同様に住戸内に設置される増設親機であり、玄関子機１は居室親機２に接続され、増設親機３は居室親機２に接続されている。また、４は来訪者を撮影するカメラ、５は居住者を呼び出す呼出ボタン、２ａ，３ａは通話するためのハンドセット、２ｂ，３ｂは来訪者を映し出すテレビモニタ、６は呼出音を選択する際に操作する操作ボタンを示している。そして、玄関子機１の呼出ボタン５を押下して呼出操作をすると、双方の親機２，３が呼び出しを報知すると共に来訪者と通話が可能に構成されている。
【００１０】
居室親機２は、図２に示すように、居室親機２の各回路を制御するＣＰＵ（居室親機ＣＰＵ）１１、出力する呼出音を制御する呼出音制御回路１２、呼び出しを鳴動報知するスピーカ１３、呼出音が複数種類蓄積された呼出音蓄積部１４、操作ボタン６を有して呼出音を呼出音蓄積部の中から選択して設定する操作部１５、玄関子機１を接続するための玄関子機用ＩＦ回路１６、増設親機３を接続するための増親用ＩＦ回路１７を備えている。また、居室親機ＣＰＵ１１は接続した増設親機３を制御する機能も備えている。
増設親機３は、増設親機３の各回路を制御するＣＰＵ（増親ＣＰＵ）２１、出力する呼出音を制御する増親呼出音制御回路２２、呼び出しを鳴動報知するスピーカ２３、玄関子機１からの呼び出しを報知する呼出音を複数種類蓄積した増親呼出音蓄積部２４、居室親機２に接続するための増親用ＩＦ回路２６を備えている。
【００１１】
次に、このように構成したインターホンシステムの呼出音の設定及び呼出動作を説明する。まず、呼出音蓄積部１４及び増親呼出音蓄積部２４には、同一の複数種類の呼出音を予め蓄積させておく。そして、操作部１５を操作することで、蓄積されている複数種類の呼出音の中から任意の呼出音が選択される。この選択された呼出音情報は居室親機ＣＰＵ１１に記憶される。この状態にて、玄関子機１から呼び出しがあったら、玄関子機１から出力された呼出信号が、居室親機２へ送られ、玄関子機用ＩＦ回路１６を介して居室親機ＣＰＵ１１で受信される。居室親機ＣＰＵ１１は、呼出信号を受信したら、選択された呼出音情報を呼出音コマンドとして呼出信号と共に増親用ＩＦ回路１７を介して増設親機３へ送出する。
【００１２】
そして、増設親機３は、増親用ＩＦ回路２６を介して増親ＣＰＵ２１が呼出信号及び呼出音情報を受信する。こうして、居室親機２と増設親機３の間で通信が設立したら、居室親機２は呼出音蓄積部１４に蓄積された呼出音の中から、上記操作により設定された呼出音を読み出して呼出音制御回路１２を介してスピーカ１３より出力させ報音させる。同時に、増設親機３も増親呼出音蓄積部２４に蓄積された呼出音の中から、呼出音情報を基に居室親機２と同一の呼出音を選択して増親呼出音制御回路２２を介してスピーカ２３より出力させ報音させる。
このように、居室親機の呼出音を選択設定するだけで、増設親機の呼出音も設定でき、親機の数だけ設定操作する必要がない。
【００１３】
図３のブロック図は、本発明のインターホンシステムの第２の実施形態を示している。機器構成は上記図１と同一であり、玄関子機１、居室親機２、増設親機３から構成されている。上記第１の実施形態との相違点は、増設親機３に呼出音蓄積部が無い点であり、上記図２と同様の構成要素には同様の符号を付与してある。
【００１４】
このインターホンシステムの呼出音の設定及び呼出動作は次のように実施される。呼出音は予め呼出音蓄積部１４に蓄積されており、操作部１５の操作により任意の呼出音が選択され、選択された呼出音情報は居室親機ＣＰＵ１１に記憶される。この状態で、玄関子機１から呼び出しがなされたら、呼出信号が玄関子機用ＩＦ回路１６を介して居室親機ＣＰＵ１１で受信される。受信した居室親機ＣＰＵ１１は、選択された呼出音を呼出音蓄積部１４から読み出して、呼出音制御回路１２を介してスピーカ１３より出力させ報音させる。同時に、読み出した呼出音の音信号を増親用ＩＦ回路１７を介して増設親機３へ出力する。
増設親機３は、増親用ＩＦ回路２６を介して、増親ＣＰＵ２１がその呼出音の音信号を受信したら、増親呼出音制御回路２２を介してスピーカ２３より、その受信した呼出音を出力させ報音させる。
このように、増設親機へは呼出音信号自体を送信するので、居室親機の呼出音を選択設定するだけで、増設親機の呼出音も設定でき、親機の数だけ設定操作する必要がない。また、増設親機に呼出音の蓄積手段を設ける必要なく、回路素子を削減できる。
【００１５】
図４，図５は本発明に係る集合住宅に適用される集合住宅インターホンシステムの第１実施形態の説明図であり、図４は機器接続図、図５はシステムの要部ブロック図を示している。図４，図５において、３１は集合玄関に設置される集合玄関機、３２は管理室に設置される管理室親機、３３はシステムを制御する制御機、３４は各住戸の玄関に設置される玄関子機、３５は各住戸内に設置される居室親機、３６は同様に住戸内に設置される増設親機を示している。尚、増設親機３６は、必要に応じて設置されるもので、各住戸に必ず設置される訳ではない。
【００１６】
集合玄関機３１と管理室親機３２は制御機３３に接続され、各住戸内に設置された居室親機３５は制御機３３から伸びた幹線３７に接続され、玄関子機３４及び増設親機３６は居室親機３５に接続されている。また、３１ａ，３４ａは来訪者を撮影するカメラ、３１ｂ，３４ｂは居住者を呼び出す呼出ボタン、３５ａ，３６ａは通話するためのハンドセット、３５ｂ，３６ｂは来訪者を映し出すテレビモニタ、４０は呼出音を選択する際に操作する操作ボタンを示し、３８は呼び出す住戸を選択する住戸選択部である。そして、集合玄関機３１から任意の住戸を呼び出しでき、呼び出された住戸に複数の親機（居室親機３５，増設親機３６）が設置されている場合は、双方の親機３５，３６が呼び出しを報知し、何れからも来訪者と通話が可能となっている。また、個々の玄関に設けられた玄関子機３４の呼出ボタン３４ｂの操作によっても、双方の親機３５，３６が呼び出しを報知すると共に来訪者と通話が可能に構成されている。
【００１７】
居室親機３５は、図５に示すように、居室親機３５の各回路を制御するＣＰＵ（居室親機ＣＰＵ）４１、出力する呼出音を制御する呼出音制御回路４２、呼び出しを鳴動報知するスピーカ４３、呼出音が複数種類蓄積された呼出音蓄積部４４、操作ボタン６を有して呼出音を呼出音蓄積部４４の中から選択して設定する操作部４６、玄関子機３４を接続するための玄関子機用ＩＦ回路４６、増設親機３６を接続するための増親用ＩＦ回路４７、幹線３７を介して制御機３３に接続するための制御機用ＩＦ回路４８を備えている。また、居室親機ＣＰＵ４１は接続した増設親機３６を制御する機能も備えている。
増設親機３６は、増設親機３６の各回路を制御するＣＰＵ（増親ＣＰＵ）５１、出力する呼出音を制御する増親呼出音制御回路５２、呼び出しを鳴動報知するスピーカ５３、呼出音を複数種類蓄積した増親呼出音蓄積部５４、居室親機３５に接続するための増親用ＩＦ回路５６を備えている。
【００１８】
次に、このように構成した集合住宅インターホンシステムの呼出音の設定及び呼出動作を説明する。まず、呼出音蓄積部４４及び増親呼出音蓄積部５４には、同一の複数種類の呼出音を予め蓄積させておく。そして、操作部４６を操作することで、蓄積されている複数種類の呼出音の中から任意の呼出音が選択され、選択した呼出音情報が居室親機ＣＰＵ４１に記憶される。この状態にて、集合玄関機３１から呼び出しがあったら、集合玄関機３１から出力された呼出信号が、制御機３３，幹線３７及び制御機用ＩＦ回路４８を介して居室親機３５に伝送され、居室親機ＣＰＵ４１で受信される。居室親機ＣＰＵ４１は呼出信号を受信したら、選択された呼出音情報を呼出コマンドとして呼出信号と共に増親用ＩＦ回路４７を介して増設親機３６へ送出する。
【００１９】
そして、増設親機３６は、増親用ＩＦ回路５６を介して増親ＣＰＵ５１が呼出信号及び呼出音情報を受信する。こうして居室親機３５と増設親機３６の間で通信が設立したら、居室親機３５は呼出音蓄積部４４に蓄積された呼出音の中から、上記操作により設定された呼出音を読み出して、呼出音制御回路４２を介してスピーカ４３より出力させ報音させる。同時に増設親機３６も増親呼出音蓄積部５４に蓄積された呼出音の中から呼出音情報を基に居室親機３５にて設定された呼出音を増親呼出音制御回路５２を介してスピーカ５３より出力させ報音させる。
【００２０】
尚、管理室親機３２から呼び出しがあった場合も、双方の親機３５，３６は集合玄関機３１からの呼び出しと同様に動作するし、玄関子機３４から呼び出しがあった場合は、上記第１の実施形態と同様に呼び出し動作する。
このように、集合住宅インターホンシステムにおいても、居室親機の呼出音を選択設定するだけで、増設親機の呼出音も設定でき、親機の数だけ設定操作する必要がない。
【００２１】
図６のブロック図は、本発明の集合住宅インターホンシステムの第２の実施形態を示している。機器構成は上記図４と同一であり、集合玄関機３１、管理室親機３２、制御機３３、玄関子機３４、居室親機３５、増設親機３６から構成され、上記集合住宅インターホンシステムの第１の実施形態との相違点は、増設親機３６に呼出音蓄積部が無い点であり、上記図５と同様の構成要素には同様の符号を付与してある。
【００２２】
この集合住宅インターホンシステムの呼出音の設定及び呼出動作は次のように成される。呼出音は予め呼出音蓄積部４４に蓄積されており、操作部４６の操作により任意の呼出音が選択され、選択された呼出音情報は居室親機ＣＰＵ４１に記憶される。この状態で、集合玄関機３１から呼び出しがなされたら、呼出信号が制御機用ＩＦ回路４８を介して居室親機ＣＰＵ４１で受信される。居室親機ＣＰＵ４１は、呼出信号を受信したら選択された呼出音を呼出音蓄積部４４から読み出して、呼出音制御回路４２を介してスピーカ４３より出力させ報音させる。同時に、読み出した呼出音の音信号を増親用ＩＦ回路４７を介して増設親機３６へ出力する。
増設親機３６は、増親用ＩＦ回路５６を介して、増親ＣＰＵ５１がその呼出音の音信号を受信したら、増親呼出音制御回路５２を介してスピーカ５３より、その受信した呼出音を出力させ報音させる。
このように、増設親機へは呼出音信号自体を送信するので、居室親機の呼出音を選択設定するだけで、増設親機の呼出音も設定でき、親機の数だけ設定操作する必要がない。また、増設親機に呼出音の蓄積手段を設ける必要なく、回路素子を削減できる。
【００２３】
尚、上記実施形態は、何れも増設親機を１台としているが、複数の増設親機が居室親機に接続された場合であっても、同様の操作で呼出音を設定可能である。
【図面の簡単な説明】
【００２４】
【図１】本発明に係るインターホンシステムの第１の実施形態を示す機器接続図である。
【図２】図１の要部ブロック図である。
【図３】インターホンシステムの第２の実施形態を示す要部ブロック図である。
【図４】本発明に係る集合住宅インターホンシステムの第１の実施形態を示す機器接続図である。
【図５】図４の要部ブロック図である。
【図６】集合住宅インターホンシステムの第２の実施形態を示す要部ブロック図である。
【符号の説明】
【００２５】
１・・玄関子機、２・・居室親機、３・・増設親機、６・・操作ボタン、１１・・居室親機ＣＰＵ、１３・・スピーカ、１４・・呼出音蓄積部、１５・・操作部、２１・・増親ＣＰＵ、２３・・スピーカ、２４・・増親呼出音蓄積部、３１・・集合玄関機、３２・・管理室親機、３３・・制御機、３４・・玄関子機、３５・・居室親機、３６・・増設親機、４０・・操作ボタン、４１・・居室親機ＣＰＵ、４３・・スピーカ、４４・・呼出音蓄積部、４６・・操作部、５１・・増親ＣＰＵ、５３・・スピーカ、５４・・増親呼出音蓄積部。
【図１】
2005159454.tif 000003
【図２】
2005159454.tif 000004
【図３】
2005159454.tif 000005
【図４】
2005159454.tif 000006
【図５】
2005159454.tif 000007
【図６】
2005159454.tif 000008